(57)【要約】      （修正有）【課題】顔の全面を飛沫感染から保護するというメリットを確保しつつ、会話が困難になるのを回避し、医療現場で感染症から身を守りつつ、患者に対する受け応えや医療従事者同士の連絡など適切なコミュニケーションを実現するフェイスガードを提供する。【解決手段】装着者の顔全面を保護するフェイスガードであって、装着者の頭部に固定される固定バンド２と、固定バンドに連結された回転軸に回転自在に係合されたフレーム部４と、フレーム部に支持されて装着者の顔全面を覆う透明なシールド部３と、固定バンドによって装着者の両耳又は片耳に相当する位置に支持されたヘッドフォン５と、固定バンドに接続されたアーム部６１と、アーム部によって装着者の口の近傍に臨ませて支持されたマイク６とを備える。【選択図】図１
0003227461.tif 000002
【実用新案登録請求の範囲】
【請求項１】
装着者の顔全面を保護するフェイスガードであって、
前記装着者の頭部に沿って環状又は円弧状に形成され、前記頭部に固定される固定バンドと、
前記装着者の前頭部に沿って弓状に形成され、前記固定バンドに連結された回転軸に回転自在に係合されたフレーム部と、
前記フレーム部に支持されて、前記装着者の顔全面を覆うように透明なシート部材を湾曲させて形成されたシールド部と、
前記固定バンドによって前記装着者の両耳又は片耳に相当する位置に支持された音響出力手段と、
前記固定バンドに接続されたアーム部と、
前記アーム部によって前記装着者の口の近傍に臨ませて支持された音響入力手段と
を備えることを特徴とするフェイスガード。
【請求項２】
前記装着者の頭頂部に沿って弓状に形成され、前記固定バンドに連結された回転軸に回転自在に係合された上部フレーム部をさらに備えることを特徴とする請求項１に記載のフェイスガード。
【請求項３】
前記音響入力手段によって検出された音響信号を他の通信機器に送信するとともに、前記他の通信機器から音響信号を受信し、受信した音響信号を前記音響出力手段から出力させる通信インターフェースをさらに備えることを特徴とする請求項１又は２に記載のフェイスガード。
【請求項４】
前記音響入力手段及び前記音響出力手段に電気的に接続された端末装置をさらに備え、
前記端末装置は、
前記音響入力手段によって検出された音響信号を取得する入力インターフェースと、
前記音響出力手段に対して音響信号を出力する出力インターフェースと
を有することを特徴とする請求項１又は２に記載のフェイスガード。
【請求項５】
前記端末装置は前記入力インターフェースが取得した音響信号を音響として出力する拡声手段を有することを特徴とする請求項４に記載のフェイスガード。
【請求項６】
前記端末装置は、
前記入力インターフェースが取得した音響信号を認識する音声認識部と、
前記音声認識部が認識した音声を文字列として表示する表示手段と
をさらに有することを特徴とする請求項４又は５に記載のフェイスガード。
【請求項７】
前記音声認識部は、認識した音声を他国言語に翻訳する翻訳機能をさらに有することを特徴とする請求項６に記載のフェイスガード。
【考案の詳細な説明】
【技術分野】
【０００１】
本考案は、飛沫等から顔や頭部を保護するために用いられるフェイスガードに関する。
【背景技術】
【０００２】
従来より、医療従事者の他一般の人において感染病の飛沫感染を防止するためにフェイスガードが装着している。フェイスガードは口や鼻、両目を含む顔の全面を覆うフィルム状の透明なシールドを有しており、これによって飛沫等の飛散物から顔を保護し、口や鼻、眼などからの感染を防止している。
【０００３】
このような、フェイスガードにおいては、感染症感染のリスクを減らすと共に、煩雑な滅菌処理等の不要なものが望まれ、使い捨てのシールドを備えたものが実用に供されている。このようなフェイスガードとしては、例えば、特許文献１に記載されているように、装着者の眼を保護するために、装着者の眼の前方に設けられる使い捨てのシールドと、そのシールドを保持するためのフレーム部(保持部)と、保持部に連結され、フェイスガードを頭部に装着するための装着部を備えたものがある。フェイスガードのフレーム部はスナップ式留具を有しており、これによってシールドを容易に装着できるように構成されている。
【先行技術文献】
【特許文献】
【０００４】
【特許文献１】特開２００９−３１４７３号公報
【考案の概要】
【考案が解決しようとする課題】
【０００５】
しかしながら、上述した顔の全面を覆うフェイスガードでは、顔の全面を飛沫感染から保護するというメリットがあるが、声がシールド内で籠もって会話が困難になるという問題があった。特に、医療現場では感染症から身を守りつつ、患者に対する受け応えや、医療従事者同士の連絡など適切なコミュニケーションが要求されることから、会話が困難になることは重大な事故の原因にもなりかねない。
【０００６】
本考案は、このような事情に鑑みてなされたものであり、その目的とするところは、顔の全面を覆うフェイスガードにおいて、顔の全面を飛沫感染から保護しつつ、適切なコミュニケーションを実現できるフェイスガードを提供することである。
【課題を解決するための手段】
【０００７】
上記課題を解決するために、本考案は、装着者の顔全面を保護するフェイスガードであって、装着者の頭部に沿って環状又は円弧状に形成され、頭部に固定される固定バンドと、装着者の前頭部に沿って弓状に形成され、固定バンドに連結された回転軸に回転自在に係合されたフレーム部と、フレーム部に支持されて、装着者の顔全面を覆うように透明なシート部材を湾曲させて形成されたシールド部と、固定バンドによって装着者の両耳又は片耳に相当する位置に支持された音響出力手段と、固定バンドに接続されたアーム部と、アーム部によって装着者の口の近傍に臨ませて支持された音響入力手段とを備える。
上記考案において、装着者の頭頂部に沿って弓状に形成され、固定バンドに連結された回転軸に回転自在に係合された上部フレーム部をさらに備えることが好ましい。
【０００８】
上記考案において、音響入力手段によって検出された音響信号を他の通信機器に送信するとともに、他の通信機器から音響信号を受信し、受信した音響信号を音響出力手段から出力させる通信インターフェースをさらに備えることが好ましい。また、上記考案において、音響入力手段及び音響出力手段に電気的に接続された端末装置をさらに備え、端末装置は、音響入力手段によって検出された音響信号を取得する入力インターフェースと、音響出力手段に対して音響信号を出力する出力インターフェースとを有することが好ましい。
【０００９】
上記考案において、端末装置は入力インターフェースが取得した音響信号を音響として出力する拡声手段を有することが好ましい。上記考案において、端末装置は、入力インターフェースが取得した音響信号を認識する音声認識部と、音声認識部が認識した音声を文字列として表示する表示手段と音声認識部が認識した音声を文字列として表示する表示手段とをさらに有することが好ましい。また、上記考案において、音声認識部は、認識した音声を他国言語に翻訳する翻訳機能をさらに有することが好ましい。
【考案の効果】
【００１０】
以上のように、本考案のフェイスガードによれば、装着者の顔全面を覆う透明なシールド部と、ヘッドフォンやイヤフォン等の音響出力手段と、マイク等の音響入力手段と一体的に備える構造であるため、シールド部で顔全面を覆ったときであっても、音声入力手段で声を相手に伝えることができる。このため、本考案によれば、声がシールド部内に籠もって声が相手に届きにくくなるということがなく、顔の全面を飛沫感染から保護するというフェイスガードのメリットを確保しつつ、会話が困難になるのを回避でき、医療現場で感染症から身を守りつつ、患者に対する受け応えや、医療従事者同士の連絡など適切なコミュニケーションを実現できる。
【図面の簡単な説明】
【００１１】
【図１】実施形態に係るフェイスガードのシールドを下げた状態を示す斜視図である。
【図２】実施形態に係るフェイスガードのシールドを下げた状態を示す斜視図である。
【図３】実施形態に係るフェイスガードのシールドを上げた状態を示す斜視図である。
【図４】実施形態に係るフェイスガードの固定バンド２のみを示す上面図である。
【図５】実施形態に係るフェイスガードの機能を示すブロック図である。
【図６】実施形態に係るフェイスガードの使用状態を示す説明図である。
【図７】実施形態の変更例に係るフェイスガードの機能を示すブロック図である。
【考案を実施するための形態】
【００１２】
以下、本考案の実施の形態について図面を参照して詳細に説明する。図１〜図３に本実施形態に係るフェイスガードの外観を示す。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１３】
（フェイスガード１の構成）
図１〜図３に示すように、本実施形態に係るフェイスガード１は、感染病の飛沫感染などを防止するために医療従事者や一般の人が装着するものであり、装着者の口や鼻、両目を含む顔の全面を覆うフィルム状の透明なシールド部３を有し、これによって飛沫等の飛散物から顔を保護し、口や鼻、眼などからの感染を防止する。特に、本実施形態に係るフェイスガード１は、装着者の顔全面を覆う透明なシールド部と、音響を出力するヘッドフォン５及び音響を入力するマイク６とが一体的に備えられており、フェイスガード１を装着してシールド部３で顔全面を覆ったときであっても、マイク６を通じて声を相手に伝えることができる。
【００１４】
具体的に、フェイスガード１は、装着者の頭部に固定される固定バンド２を基体として、この固定バンド２にシールド部３を回動可能に支持するフレーム部４が取付けられている。また、固定バンド２には、装着者の頭頂部に沿って弓状に形成された上部フレーム部７が回転自在に取付けられている。本実施形態では、固定バンド２を装着者の前頭部に宛がうとともに上部フレーム部７を装着者の頭頂部に載置することによりフェイスガード１全体が装着者頭部に固定される。
【００１５】
固定バンド２は、装着者の頭部に沿って環状又は円弧状に形成された部材であり、例えばプラスチックや金属などの硬質で且つ弾力性を有する素材で構成することができる。本実施形態において固定バンド２は図４に示すように円弧状をなしており装着時にはその弾力性に逆らって円弧を押し広げて装着者の前頭部から宛がい、弾力性により円弧の径が縮小されて装着者の頭部に嵌合されて固定される。なお、固定バンド２の弾力性のみでは十分に固定できないときは、図４に示すように円弧の端部にゴムのような伸縮性のある素材や、或いは伸縮機能を有するベルトなどで構成された調節部２１を連結して、固定バンド２全体として環状を形成して、調節部２１で環状の径を伸縮させることにより固定バンド２を装着者の頭部に固定するようにしてもよい。
【００１６】
前記フレーム部４は、固定バンド２と同様に、プラスチックや金属などの硬質で且つ弾力性を有する素材で形成され、装着者の前頭部に沿って湾曲されて弓状に形成されている。このフレーム部４は、固定バンド２の側頭部に相当する左右２ヶ所のそれぞれに連結された回転軸４１，４１に回転自在に係合されている。この回転軸４１，４１に回転自在に係合することによりこのフレーム部４は装着者の前頭部位置から頭頂部位置の間でほぼ９０度の範囲で回動する。
【００１７】
そして、このフレーム部４によってシールド部３が支持されており、フレーム部４が回動することにより、装着者の前面位置（図１）と頭頂部位置（図３）との間を往復して開閉するようになっている。このシールド部３は、装着者の顔全面を覆うように透明なシート部材を湾曲させて形成された部材であり、フレーム部４に上端部を支持されて、装着者の顔の前方部分に吊下される。フレーム部４の外表面には複数の突起４ａが放射状に向けて突設されており、シールド部３の上端部に複数配置された取付け穴を突起４ａのそれぞれに嵌め込むことによって、シールド部３がフレーム部４に固定されている。
【００１８】
上部フレーム部７は、固定バンド２と同様に、プラスチックや金属などの硬質で且つ弾力性を有する素材で形成され、装着者の頭頂部の形状に沿って湾曲されて弓状に形成されている。固定バンド２の側頭部に相当する左右２ヶ所には挿通部７１，７１が形成されており、上部フレーム部７の両端部はそれぞれ挿通部７１，７１に挿通されてフレーム部４に連結されている。この挿通部７１は弾性部材の反発力などにより上部フレーム部７を締め付けて抜けにくくなっており、上部フレーム部７先端の挿通部７１への挿通量を段階的に或いは無段階で調節できるようになっている。上部フレーム部７の挿通部７１への挿通量を調節することによって，装着者が上部フレーム部７を装着した状態におけ固定バンド２及びフレーム部４の、上部フレーム部７に対する相対的な高さ位置を調節することができるようになっている。
【００１９】
さらに上部フレーム部７の端部にはヘッドセットのヘッドフォン５とマイク６とが取付けられている。本実施形態では、ヘッドセットとしての機能を実現するための電子部品が内蔵されるヘッドフォン本体５１が上部フレーム部７の左側端部に接続されている。このヘッドフォン本体５１は半球状の部品であり、その裏側（装着者顔面側）にヘッドフォン５が配置されているとともに、表側（装着者顔面より外方）の球面部分に円形の操作ボタン５３が配置されている。また、このヘッドフォン本体５１の斜め前方側となる球面側部には、フレキシブルに屈曲可能なアーム部６１の後端部分が接続されており、このアーム部６１の前端部分にマイク６が接続されている。
【００２０】
ヘッドフォン５は、ヘッドフォン本体５１及び上部フレーム部７を介して固定バンド２によって装着者の片耳（ここでは左耳）に相当する位置に支持された音響出力手段であり、マイク６は、アーム部６１によって装着者の口の近傍に臨ませて支持された音響入力手段である。このヘッドフォン５及びマイク６はヘッドフォン本体５１内部の電子部品に電気的に接続されており、ヘッドフォン本体５１内に備えられた通信機能によりコード５２を通じて他の電子機器に接続できるようになっている。本実施形態では、例えばスマートフォンや専用端末機などの端末装置８に接続されている。
【００２１】
（端末装置８の内部構成）
ここで上記端末装置８の内部構成について説明する。図５は、端末装置８の内部構成を示すブロック図である。なお、説明中で用いられる「モジュール」とは、装置や機器等のハードウェア、或いはその機能を持ったソフトウェア、又はこれらの組み合せなどによって構成され、所定の動作を達成するための機能単位を示す。
【００２２】
端末装置８は、演算処理を行うＣＰＵ８１と、無線通信回線を介して外部との通信を行う通信インターフェース８５と、出力インターフェース８３と、入力インターフェース８２とを有している。
ＣＰＵ８１は、各部を制御する際に必要な種々の演算処理を行う装置であり、各種プログラムを実行することにより、ＣＰＵ８１上に仮想的に各種モジュールを構築する。このＣＰＵ８１には、ユーザー操作を受け付ける操作インターフェース８６と、映像や音響などの入出力制御を行う入力インターフェース８２及び出力インターフェース８３と、通信を行うための通信インターフェース８５とが接続されている。また、ＣＰＵ８１には、音響出力手段としてのヘッドフォン５と、音響入力手段としてのマイク６とが接続されている。
【００２３】
通信インターフェース８５は、無線通信により無線基地局や他の通信機器と通信を行うモジュールであり、５ＧやＬＴＥ回線、３Ｇ回線や、Ｗｉｆｉ（登録商標）、Bluetooth（登録商標）などの無線通信ネットワーク、その他の公知の装置・通信方式を用いることができる。この通信インターフェース８５を通じて、マイク６によって検出された音響信号を他の通信機器に送信するとともに、他の通信機器から音響信号を受信し、受信した音響信号はヘッドフォン５やスピーカー８４から出力される。
【００２４】
上記操作インターフェース８６は、タッチパネルやボタン等の操作デバイスを通じてユーザーによる操作信号を取得するモジュールであり、取得された操作信号はＣＰＵ８１に伝えられ、ＯＳや各アプリケーションに対する操作を行うことができる。
【００２５】
出力インターフェース８３は、ここでは出力端子を通じてヘッドフォン５に電気的に接続され、ヘッドフォン５から音声を出力するための音声信号を送出するモジュールであり、ＣＰＵ８１で実行されるアプリケーションソフトに関する音声を出力したり、通信インターフェース８５を通じて他の通信機器から受信した音声もヘッドフォン５から出力させることができる。
【００２６】
入力インターフェース８２は、フェイスガード１側のマイク６が検出した音響信号や、操作ボタン５３から入力された操作信号を受信するモジュールであり、受信された音響信号や操作信号はＣＰＵ８１に伝えられ、これによりＯＳや各アプリケーションに対する操作を行うことができる。
【００２７】
そして、本実施形態に係るＣＰＵ８１上では、ＯＳ（Operating System）が起動・実行されており、このＯＳによって端末装置８の基本的な機能が管理・制御されている。また、このＯＳ上では種々のアプリケーションが実行可能になっており、ＣＰＵ８１によって、アプリケーションを実行することにより、様々な機能が実行される。
【００２８】
このＣＰＵ８１で実行されるアプリケーションにより音声認識部８１ａがＣＰＵ８１上に仮想的に構築され、この音声認識部８１ａによって、マイク６から入力された音響信号は、解析されて音声として認識され、認識された音声は文字列としてディスプレイ８７に表示される。この音声認識部８１ａには、認識した音声を他国言語に翻訳する翻訳機能を持たせることもでき、マイク６から入力された音声を音声認識部８１ａで認識し、認識した文字列を解析して翻訳し、任意の言語としてディスプレイ８７に表示させたり、音声としてヘッドフォン５から出力するようにしてもよい。
【００２９】
（使用方法）
以上説明したフェイスガード１の使用方法について説明する。図６にフェイスガード１を医療現場の看護師Ｍ１及びＭ２がそれぞれフェイスガード１を装着した様子を示す。なお、以下で説明する処理手順は一例に過ぎず、各処理は可能な限り変更されてもよい。また、以下で説明する処理手順について、実施の形態に応じて、適宜、ステップの省略、置換及び追加が可能である。
【００３０】
同図に示すように、看護師Ｍ１及びＭ２は、それぞれフェイスガード１を装着している。詳しくは、看護師Ｍ１及びＭ２は、各自の前頭部に固定バンド２を宛がって固定するとともに、上部フレーム部７を装着者の頭頂部に載置して、フェイスガード１を装着者頭部に固定している。そして、フレーム部４を前頭部側に倒すことによってシールド部３を顔の前方へと下ろして顔全面を覆っている。
【００３１】
看護師Ｍ１及びＭ２がそれぞれ使用する端末装置８同士は、各々の通信インターフェース８５を通じて相互に接続されており、一方の看護師Ｍ１がシールド部３内で発した音声はマイク６に入力され入力インターフェース８２を介して端末装置８側で取得され、通信インターフェース８５を通じて、他方の看護師Ｍ２が使用する端末装置８側の通信インターフェース８５へ送信される。他方の看護師Ｍ２の端末装置８側で受信された音声信号は出力インターフェース８３を介して、看護師Ｍ２側のヘッドフォン５から音声として出力される。
【００３２】
このとき、看護師Ｍ１側で発せられた音声は、看護師Ｍ１側の端末装置８に備えられた拡声手段であるスピーカー８４から音響として出力される。これにより、例えば、患者Ｍ３のように、フェイスガード１を装着していない、或いは通信機器を使用していない相手に対しても、シールド部３内で発生した音声をクリアーに伝えることができる。また、看護師Ｍ１側で発せられた音声は、看護師Ｍ１側の音声認識部８１ａによって解析されて音声認識され、認識された音声は文字列としてディスプレイ８７に表示される。これにより、例えば患者Ｍ３が聴覚に障害があったとしてもシールド部３内で発生した音声を確実に伝えることができる。さらに、この音声認識部８１ａにおいて認識した音声を他国言語に翻訳して任意の言語としてディスプレイ８７に表示させたり、音声としてヘッドフォン５から出力することもできる。
【００３３】
（変更例）
なお、以上説明した各実施形態の説明は、本考案の一例である。このため、本考案は上述した実施形態に限定されることなく、本考案に係る技術的思想を逸脱しない範囲であれば、設計等に応じて種々の変更が可能である。図８に変更例に係るフェイスガード１の内部構成を示す。なお、本変更例において、上述した実施形態と同一の構成要素には同一の符号を付し、その機能等は特に言及しない限り同一であり、その説明は省略する。
【００３４】
例えば、上述した実施形態では、フェイスガード１と端末装置８をコード５２により有線接続したが、本考案はこれに限定されるものではなく、例えば、図７に示すように、フェイスガード１と端末装置８を、Bluetoothなどの近距離通信インターフェース５４，８８を通じた無線接続としてもよい。
【００３５】
また、上述した実施形態では、端末装置８に通信インターフェース８５を設け、マイク６やヘッドフォン５に入出力される音響信号を、端末装置８を通じて送受信するようにしたが、通信インターフェースをフェイスガード１に直接設けて、フェイスガード１単体同士で直接通信するようにしてもよい。
【００３６】
また、本実施形態では、ヘッドフォン５を固定バンド２の片耳側にのみ設けたが、固定バンド２の両耳側に２個設けてもよい。さらに、本実施形態では上部フレーム部７を設けて装着者の頭頂部に載置するようにしたが、上部フレーム部７を省略して固定バンド２のみで固定するようにしてもよい。
【００３７】
（作用・効果）
以上のように、本実施形態のフェイスガード１によれば、装着者の顔全面を覆う透明なシールド部３と、ヘッドフォン５及びマイク６と一体的に備える構造としたため、シールド部３で顔全面を覆ったときであっても、マイク６を通じて声を相手に伝えることができる。また、本実施形態では、看護師Ｍ１側で発せられた音声を端末装置８に備えられたスピーカー８４から音響として出力するようにしたため、例えば、患者Ｍ３のように、フェイスガード１を装着していない、或いは通信機器を使用していない相手に対しても、シールド部３内で発生した音声をクリアーに伝えることができる。
【００３８】
さらに、発せられた音声は音声認識されて文字列としてディスプレイ８７に表示されることから、例えば患者Ｍ３が聴覚に障害があったとしてもシールド部３内で発生した音声を確実に伝えることができる。さらに、この音声認識部８１ａにおいて認識した音声を他国言語に翻訳して任意の言語としてディスプレイ８７に表示させたり、音声としてヘッドフォン５から出力することにより、例えば患者Ｍ３が言葉の通じない外国人であってもコミュニケーションをスムーズに取ることができる。
【００３９】
これらの結果、本実施形態によれば、声がシールド部３内に籠もって声が相手に届きにくくなるということがなく、顔の全面を飛沫感染から保護するというフェイスガードのメリットを確保しつつ、会話が困難になるのを回避でき、医療現場で感染症から身を守りつつ、患者に対する受け応えや、医療従事者同士の連絡など適切なコミュニケーションを実現できる。
【００４０】
なお、本考案は、上記した各実施の形態そのままに限定されるものではなく、実施段階ではその要旨を逸脱しない範囲で構成要素を変形して具体化できる。また、上記実施の形態に開示されている複数の構成要素の適宜な組み合せにより、種々の考案を形成できる。例えば、実施の形態に示される全構成要素から幾つかの構成要素を削除してもよい。
【符号の説明】
【００４１】
Ｍ１，Ｍ２…看護師
Ｍ３…患者
１…フェイスガード
２…固定バンド
３…シールド部
４…フレーム部
４ａ…突起
５…ヘッドフォン
６…マイク
７…上部フレーム部
８…端末装置
４１，４１…回転軸
５１…ヘッドフォン本体
５２…コード
５３…操作ボタン
５４，８８…近距離通信インターフェース
６１…アーム部
７１…挿通部
８１…ＣＰＵ
８１ａ…音声認識部
８２…入力インターフェース
８３…出力インターフェース
８４…スピーカー
８５…通信インターフェース
８６…操作インターフェース
８７…ディスプレイ
【図１】
0003227461.tif 000003
【図２】
0003227461.tif 000004
【図３】
0003227461.tif 000005
【図４】
0003227461.tif 000006
【図５】
0003227461.tif 000007
【図６】
0003227461.tif 000008
【図７】
0003227461.tif 000009